(57)【要約】【課題】底面積を小さくしても使い勝手の良い家庭用薄葉紙収納箱を提供する。【解決手段】家庭用薄葉紙１が引き出される取出口３を備える家庭用薄葉紙収納箱１００であって、家庭用薄葉紙は、略矩形状に形成され、当該家庭用薄葉紙の上下方向の両端部どうしを合わせるように左右方向に延在する折り目に沿って折曲されるとともに、複数の家庭用薄葉紙が隣合うものどうしで係合しあって交互に折り重ねられて紙束を構成し、紙束の左右方向の両端部どうしを合わせるように上下方向に延在する第２折り目に沿って折曲されてなり、取出口は、上面部の左右方向の長さに対する当該取出口の左右方向の長さの割合が６９％以上であるとともに、当該取出口の左右方向略中央部における前後方向の長さが２３ｍｍ以上である。【選択図】図１
2010006444.tif 000002
【特許請求の範囲】
【請求項１】
内部に収納された複数の家庭用薄葉紙の各々が上面部に形成された取出口から引き出される家庭用薄葉紙収納箱であって、
前記家庭用薄葉紙は、略矩形状に形成され、当該家庭用薄葉紙の上下方向の両端部どうしを合わせるように左右方向に延在する第１折り目に沿って折曲されるとともに、前記複数の家庭用薄葉紙が隣合うものどうしで係合しあって交互に折り重ねられて紙束を構成し、前記紙束の左右方向の両端部どうしを合わせるように上下方向に延在する第２折り目に沿って折曲されてなり、
前記取出口は、前記上面部の左右方向の長さに対する当該取出口の左右方向の長さの割合が６９％以上であるとともに、当該取出口の左右方向略中央部における前後方向の長さが２３ｍｍ以上であることを特徴とする家庭用薄葉紙収納箱。
【請求項２】
前記紙束の前記第２折り目に沿って折曲された際に内側となる最内側家庭用薄葉紙は、左右方向に延在する第３折り目に沿って外側に折り返され、当該最内側家庭用薄葉紙の第１折り目よりも上側に配置された折り返し部を具備することを特徴とする請求項１に記載の家庭用薄葉紙収納箱。
【請求項３】
前記取出口は、左右方向略中央部における前後方向の長さが左右方向両端部における同方向の長さに比べて長くされた略六角形状に形成され、当該取出口の左右方向両端部における前後方向の長さが１〜１０ｍｍであることを特徴とする請求項１又は２に記載の家庭用薄葉紙収納箱。
【請求項４】
前記取出口は、略菱形状に形成され、前記上面部の左右方向の長さに対する当該取出口の左右方向の長さの割合が７７％以上であることを特徴とする請求項１又は２に記載の家庭用薄葉紙収納箱。
【発明の詳細な説明】
【技術分野】
【０００１】
本発明は、ティシューペーパー、キッチンペーパー、ペーパータオル等の家庭用薄葉紙を収納する家庭用薄葉紙収納箱に関する。
【背景技術】
【０００２】
従来、ティシューペーパー、キッチンペーパー、ペーパータオル等の家庭用薄葉紙は、複数積層された状態で家庭用薄葉紙収納箱に収納されている。具体的には、家庭用薄葉紙収納箱の内部から取出口を介して継続して引き出せるように交互に折り重ねられており、一の家庭用薄葉紙が引き出されると、次の家庭用薄葉紙が取出口まで引き出される折り方となっている。
【０００３】
ところで、ティシューペーパー、キッチンペーパー、ペーパータオル等の家庭用薄葉紙のボックスは、略矩形状の家庭用薄葉紙の左右方向の折り目に沿って折曲したものを上下に積層した状態で収納するのが一般的となっているが、かかる形状では、底面積が大きく設置場所に広いスペースを必要とする。
そこで、ティシューペーパーにおいては、一般的なティシューペーパーボックスに比べて底面積をより小さくして高さをより高くしたティシューペーパーボックスが知られている（例えば、特許文献１参照）。
また、宿泊施設用の家庭用薄葉紙収納箱としても、一般的なティシューペーパーボックスに比べて底面積が略半分にされたものが知られている。
【特許文献１】特許第３８９８７０８号公報
【発明の開示】
【発明が解決しようとする課題】
【０００４】
ところで、上記のように、家庭用薄葉紙収納箱の底面積を小さくすると、一般的な家庭用薄葉紙収納箱に収納されている家庭用薄葉紙をそのまま収納することはできないため、シート面積をより小さくするか、或いは、底面積がより小さくなるように折り畳まなければならない。
しかしながら、家庭用薄葉紙の面積を小さくすると、一般的な寸法でないために使い勝手が悪くなってしまうといった問題が生じる。また、小さく折り畳んだ状態で収納すると、家庭用薄葉紙収納箱からの家庭用薄葉紙の継続した引き出しを確保することが困難となり、使用の際に開く手間が生じてしまうといった問題が生じる。なお、家庭用薄葉紙収納箱からの家庭用薄葉紙の継続した引き出しをポップアップという。
さらに、家庭用薄葉紙の折り畳み方によっては、取出口を介して引き出される際に破れてしまい、使い勝手を低下させてしまうといった問題もある。
【０００５】
そこで、本発明の課題は、底面積を小さくしても家庭用薄葉紙のサイズを小さくすることなくポップアップを確保し、家庭用薄葉紙を使用する際に開く手間のない使い勝手の良い家庭用薄葉紙収納箱を提供することである。
【課題を解決するための手段】
【０００６】
請求項１に記載の発明の家庭用薄葉紙収納箱は、
内部に収納された複数の家庭用薄葉紙の各々が上面部に形成された取出口から引き出される家庭用薄葉紙収納箱であって、
前記家庭用薄葉紙は、略矩形状に形成され、当該家庭用薄葉紙の上下方向の両端部どうしを合わせるように左右方向に延在する第１折り目に沿って折曲されるとともに、前記複数の家庭用薄葉紙が隣合うものどうしで係合しあって交互に折り重ねられて紙束を構成し、前記紙束の左右方向の両端部どうしを合わせるように上下方向に延在する第２折り目に沿って折曲されてなり、
前記取出口は、前記上面部の左右方向の長さに対する当該取出口の左右方向の長さの割合が６９％以上であるとともに、当該取出口の左右方向略中央部における前後方向の長さが２３ｍｍ以上であることを特徴としている。
【０００７】
請求項２に記載の発明は、請求項１に記載の家庭用薄葉紙収納箱において、
前記紙束の前記第２折り目に沿って折曲された際に内側となる最内側家庭用薄葉紙は、左右方向に延在する第３折り目に沿って外側に折り返され、当該最内側家庭用薄葉紙の第１折り目よりも上側に配置された折り返し部を具備することを特徴としている。
【０００８】
請求項３に記載の発明は、請求項１又は２に記載の家庭用薄葉紙収納箱において、
前記取出口は、左右方向略中央部における前後方向の長さが左右方向両端部における同方向の長さに比べて長くされた略六角形状に形成され、当該取出口の左右方向両端部における前後方向の長さが１〜１０ｍｍであることを特徴としている。
【０００９】
請求項４に記載の発明は、請求項１又は２に記載の家庭用薄葉紙収納箱において、
前記取出口は、略菱形状に形成され、前記上面部の左右方向の長さに対する当該取出口の左右方向の長さの割合が７７％以上であることを特徴としている。
【発明の効果】
【００１０】
請求項１に記載の発明によれば、家庭用薄葉紙収納箱の上面に形成された取出口は、上面部の左右方向の長さに対する当該取出口の左右方向の長さの割合が６９％以上とされるとともに、当該取出口の左右方向略中央部における前後方向の長さが２３ｍｍ以上とされているので、略矩形状に形成された家庭用薄葉紙の上下方向の両端部どうしを合わせるように左右方向に延在する第１折り目に沿って折曲するとともに、複数の家庭用薄葉紙が隣合うものどうしで係合しあって交互に折り重ねられて紙束を構成し、紙束の左右方向の両端部どうしを合わせるように上下方向に延在する第２折り目に沿って折曲した場合、即ち、継続して引き出せるように複数の家庭用薄葉紙を折り重ねた場合であっても、取出口を介して引き出される家庭用薄葉紙に破れを生じさせることなく、一の家庭用薄葉紙が引き出されると、次の家庭用薄葉紙を取出口まで引き出すことができる。
特に、一般的な家庭用薄葉紙収納箱に比べて家庭用薄葉紙収納箱の底面積を小さくして、一般的なティシューペーパーボックスに収納されているティシューペーパー等の家庭用薄葉紙を折り畳んで収納する場合であっても、家庭用薄葉紙に破れを生じさせることなく、家庭用薄葉紙がポップアップせずに家庭用薄葉紙収納箱の内側に落ち込んでしまうことを防止することができる。
従って、家庭用薄葉紙収納箱の底面積を小さくしても家庭用薄葉紙のサイズを小さくすることなくポップアップを確保し、家庭用薄葉紙を使用する際に開く手間のない使い勝手の良い家庭用薄葉紙収納箱を提供することができる。
【００１１】
請求項２に記載の発明によれば、請求項１に記載の発明と同様の効果が得られるのは無論のこと、特に、複数の家庭用薄葉紙からなる紙束の第２折り目に沿って折曲された際に内側となる最内側家庭用薄葉紙は、左右方向に延在する第３折り目に沿って外側に折り返され、当該最内側家庭用薄葉紙の第１折り目よりも上側に配置された折り返し部を具備するので、当該折り返し部を掴むことにより家庭用薄葉紙収納箱に収納されている一組目の家庭用薄葉紙の引き出しを容易に行うことができる。なお、家庭用薄葉紙の組については後述する。
【００１２】
請求項３に記載の発明によれば、左右方向略中央部における前後方向の長さが左右方向両端部における同方向の長さに比べて長くされた略六角形状に形成され、当該取出口の左右方向両端部における前後方向の長さが１〜１０ｍｍとした取出口を具備する家庭用薄葉紙収納箱であっても、請求項１又は２に記載の発明と同様の効果を得ることができる。
【００１３】
請求項４に記載の発明によれば、略菱形状に形成され、家庭用薄葉紙収納箱の上面部の左右方向の長さに対する当該取出口の左右方向の長さの割合が７７％以上である取出口を具備する家庭用薄葉紙収納箱であっても、請求項１又は２に記載の発明と同様の効果を得ることができる。
【発明を実施するための最良の形態】
【００１４】
以下に、本発明について、図面を用いて具体的な態様を説明する。ただし、発明の範囲は、図示例に限定されない。
ここで、図１は、本発明を適用した一実施形態として例示する家庭用薄葉紙収納箱１００を示す斜視図であり、図２は、家庭用薄葉紙収納箱１００の家庭用薄葉紙１の収納状態を模式的に示す平面図である。
なお、図２にあっては、家庭用薄葉紙収納箱１００の上面部２の図示を省略している。
【００１５】
本実施形態の家庭用薄葉紙収納箱１００は、例えば、図１及び図２に示すように、上下方向に長い略直方体状に形成され、その内側に複数の家庭用薄葉紙１、…が二枚一組ずつ継続して引き出せるように交互に折り重ねられて収納されている。
なお、本発明における家庭用薄葉紙は、取出口での引き出しの抵抗を抑止するためにも一枚一組又は二枚一組、三枚一組が好ましいが、家庭用薄葉紙の強度や水分拭き取りの吸収性や裏抜け防止の観点から、二枚一組が最も好ましい。
【００１６】
家庭用薄葉紙収納箱１００は、例えば、左右方向の長さが１２０〜１８０ｍｍ、前後方向の長さが５５〜６０ｍｍ、上下方向の長さ（高さ）が８０〜１２０ｍｍに形成されている。
また、家庭用薄葉紙収納箱１００の上面部２には、家庭用薄葉紙１の取出口３が形成されている。
【００１７】
取出口３は、上面部２の略中央部に当該取出口３の長手方向が左右方向と略平行となるように設けられている。具体的には、取出口３は、対向する辺どうしが略平行で、且つ、左右方向略中央部における前後方向の長さが両端部における同方向の長さに比べて長くされた左右方向に長尺な略六角形状に形成されている。
ここで、取出口３は、略長方形状としたり、左右方向略中央部における前後方向の長さを両端部における同方向の長さに比べて短くした鼓形状とすると、取出口３を介して家庭用薄葉紙１を引き出した際に破れが生じてしまう虞があることから、略六角形状に形成されるのが好ましい。
【００１８】
また、取出口３の左右方向の長さは、家庭用薄葉紙収納箱１００の上面部２の左右方向の長さに対して６９％以上、且つ、７７％未満となっている。
下限が６９％未満では、取出口３を介して家庭用薄葉紙１を引き出した際に破れが生じてしまうためである。また、上限が７７％以上では、取出口３の縁部と家庭用薄葉紙１との接触面積が小さく当該縁部による家庭用薄葉紙１の係止力が低下してしまい、継続して次に引き出される家庭用薄葉紙１がポップアップせずに家庭用薄葉紙収納箱１００の内側に落ち込んでしまうためである。
【００１９】
また、取出口３の左右方向略中央部における前後方向の長さは、２３ｍｍ以上となっている。
下限が２３ｍｍ未満では、前後方向の長さが短くなり取出口３に指を入れ難くなって、家庭用薄葉紙１が取り出し難くなるためである。
【００２０】
また、取出口３の左右方向両端部における前後方向の長さは、１〜１０ｍｍとなっている。
上限が１０ｍｍを超えると、取出口３の縁部と家庭用薄葉紙１との接触面積が小さく当該縁部による家庭用薄葉紙１の係止力が低下してしまい、継続して次に引き出される家庭用薄葉紙１がポップアップせずに家庭用薄葉紙収納箱１００の内側に落ち込んでしまうためである。
【００２１】
なお、取出口３は、例えば、家庭用薄葉紙収納箱１００の最初の使用の際に、家庭用薄葉紙収納箱１００の上面部２に設けられたループ状の破断用切目線（図示略）に沿って取出口形成部分を切り取ることにより形成されるようにしても良い。
【００２２】
また、図２に示すように、家庭用薄葉紙収納箱１００の内側には、複数の家庭用薄葉紙１、…が所定の折り目Ｌ１〜Ｌ３に沿って折り畳まれた状態で収納されている。
【００２３】
以下に、家庭用薄葉紙１について図３（ａ）及び図３（ｂ）並びに図４を参照して説明する。
図３（ａ）は、各家庭用薄葉紙１を折り目Ｌ１に沿って折曲して複数の家庭用薄葉紙１、…が交互に折り重ねられた紙束１０の側面を模式的に示す図であり、図３（ｂ）は、紙束１０を正面から見て示す斜視図である。また、図４は、紙束１０を折り目（第２折り目）Ｌ２に沿って折曲した状態を正面から見て示す斜視図である。
【００２４】
家庭用薄葉紙１は、例えば、ティシューペーパー、キッチンペーパー、ペーパータオル等が適用され、左右方向の長さが２００〜３００ｍｍ、折り目Ｌ１に沿って折曲される前の展開状態での上下方向の長さ（高さ）が１５０〜２００ｍｍに形成された略矩形状に形成されたシート２枚が１組とされている。
また、家庭用薄葉紙１は、図３（ａ）及び図３（ｂ）に示すように、上下方向の両端部どうしを合わせるように左右方向に延在する折り目（第１折り目）Ｌ１に沿って折曲され、複数の家庭用薄葉紙１、…が隣合うものどうしで係合しあって交互に折り重ねられて紙束１０を構成している。即ち、交互に折り重ねられる複数の家庭用薄葉紙１、…のうち、一の家庭用薄葉紙１は、折り目Ｌ１に沿って略半分に山折りに折曲されるとともに、一の家庭用薄葉紙１に折り重ねられる次の家庭用薄葉紙１は、折り目Ｌ１に沿って略半分に谷折りに折曲されている（図３（ａ）参照）。そして、一の家庭用薄葉紙１の上下両端部のうちの一の端部を次の家庭用薄葉紙１の谷折りした内側部分に差し込み、且つ、次の家庭用薄葉紙１の上下両端部のうちの一の端部を一の家庭用薄葉紙１の山折りした内側部分に差し込むようにして、複数の家庭用薄葉紙１、…が交互に折り重ねられている（図３（ａ）及び図３（ｂ）参照）。
【００２５】
なお、紙束１０を構成する複数の家庭用薄葉紙１、…のうち、最も手前側の家庭用薄葉紙１（紙束１０を折り目Ｌ３（後述）に沿って折曲した際に内側となる最内側家庭用薄葉紙１）の下向きに延在する紙片部（折り返し部）１ａは、左右方向に延在する折り目Ｌ３に沿って手前側（外側）に折り返されて、当該家庭用薄葉紙１を山折りにした際の折り目Ｌ１よりも上側に配置されている。
折り目Ｌ３の位置は、具体的には、紙片部１ａを上下方向に１／２とした位置よりも上側であれば良く、紙片部１ａの上下方向に沿って３等分した場合における上から略１／３の位置が好ましい。これにより、家庭用薄葉紙１を山折りにした際の折り目Ｌ１よりも上側に紙片部１ａの略１／３を突出させることができる。
【００２６】
また、紙束１０は、図４に示すように、最も手前側の家庭用薄葉紙１の左右方向の両端部どうしを合わせるように上下方向に延在する折り目Ｌ２（図３（ｂ）参照）に沿って略半分に折曲されている。
そして、最も手前側の家庭用薄葉紙１の折り返された紙片部１ａの先端が取出口３と対向するような向きで家庭用薄葉紙収納箱１００に収納されている。これにより、複数の家庭用薄葉紙１、…は、折り目Ｌ２に沿って折曲された状態で内側となる家庭用薄葉紙１から順次引き出されることとなる。
【００２７】
以下、本実施形態の家庭用薄葉紙収納箱に係る実施例及び比較例について説明する。なお、以下の実施例及び比較例にあっては、家庭用薄葉紙としてティシューペーパーを用いた。
【００２８】
［実施例１〜３並びに比較例１〜７］
（ティシューペーパー）
ティシューペーパーのシート一枚は、左右方向の長さが２２５ｍｍ、折り目Ｌ１に沿って折曲される前の展開状態での上下方向の長さが１９０ｍｍである。
そして、実施例１及び実施例３並びに比較例１〜４及び比較例７については、シート二枚を一組として、５０組（１００枚）のティシューペーパーを所定の折り目に沿って折り重ねたものを家庭用薄葉紙収納箱に収納した。
また、実施例２については、５５組（１１０枚）とし、比較例５については、６０組（１２０枚）とし、比較例６については、７０組（１４０枚）とした。
なお、ティシューペーパーの組成は、一枚当たりの坪量（ＪＩＳ  Ｐ  ８１２４：１９９８）１５．０ｇ／ｍ２、二枚当たりの紙厚（尾崎製作所製ピーコックにより測定）１８０μｍ、一枚当たりのソフトネス（ハンドルオメーター法：ＪＩＳ  Ｌ  １０９６Ｅ法により測定）０．９０ｃＮ、ＭＭＤ（下記測定方法により測定）６．５、乾燥引張強度（ＪＩＳ  Ｐ  ８１１３の規定方法により測定）：縦２００ｃＮ／２５ｍｍ、横１００ｃＮ／２５ｍｍ、エンボス無しを使用した。
なお、このティシューペーパーのサイズおよび組成については、あくまで実施例であり、本発明はこれに限定されることはない。
【００２９】
また、ＭＭＤの測定方法については、まず、摩擦子を用意した。この摩擦子は、直径０．５ｍｍのピアノ線を１０本隣接させてなり、長さ及び幅がともに５ｍｍとなるように形成された試験シートに対する接触面を有している。接触面には、先端が１０本のピアノ線（曲率半径０．２５ｍｍ）で形成された単位膨出部が形成されている。
そして、摩擦子の接触面を所定方向に２０ｇ／ｃｍの張力が付与された試験シートの表面に対して５０ｇの接触圧で接触させながら、張力が付与された方向とほぼ同じ方向に速度０．１ｃｍ／ｓで２ｃｍ移動させた。このときの、摩擦係数を、摩擦感テスターＫＥＳ−ＳＥ（カトーテック株式会社製）を用いて測定し、その摩擦係数を摩擦距離（移動距離＝２ｃｍ）で除した値をＭＭＤ値とした。
なお、この測定方法については、例えば、特開２００５−１７１３９８号公報などを参考にすることができる。
【００３０】
（家庭用薄葉紙収納箱）
家庭用薄葉紙収納箱は、左右方向の長さが１３０ｍｍ、折り目Ｌ１に沿って折曲される前の展開状態での上下方向の長さが１１０ｍｍ、前後方向の長さが５５ｍｍである。
家庭用薄葉紙収納箱の上面部の略中央部に、略六角形状の所定寸法の取出口を形成した。
なお、この家庭用薄葉紙収納箱のサイズについては、あくまで実施例であり、本発明はこれに限定されることはない。
【００３１】
（取出口）
取出口は、略六角形状に形成され、その左右方向の長さ（取出口の左右幅）を家庭用薄葉紙収納箱の左右方向の長さに対する割合（％）で表す。
実施例１；６９％、比較例１；４６％、比較例２；５４％、比較例３；６２％、比較例４；７７％
また、取出口の左右方向略中央部における前後方向の長さは、２０ｍｍであり、取出口の左右方向両端部における前後方向の長さは、１０ｍｍである。
【００３２】
（引き出し試験）
５０組（１００枚）のティシューペーパーを家庭用薄葉紙に収納して、一組目から５０組目までティシューペーパーを継続して引き出した際に、破れが生じた枚数及びポップアップされることなく落ち込みが生じた回数を試験した。
上記の引き出し試験を、実施例１並びに比較例１〜４について２度ずつ行った。即ち、５０組×２の計１００組のティシューペーパーを引き出した。
ここで、ティシューペーパーが破れることなくポップアップできたものを「○」と評価し、ティシューペーパーが引き出される途中で破れたり、ポップアップできなかったり、これらのどちらもが生じたものを「△」と評価し、ティシューペーパーが引き出される途中で破れたものを「×」と評価するものとする。
当該引き出し試験の結果を表１に示す。
【表１】
2010006444.tif 000003
【００３３】
また、実施例１及び２並びに比較例５及び６について、ティシューペーパーの組数（枚数）を変えたものについて、上記と同様に引き出し試験を行って、破れが生じた枚数を評価した。
上記の引き出し試験を、実施例１及び２並びに比較例５及び６について２度ずつ行った。
ここで、ティシューペーパーが破れることなく取り出せたものを「○」と評価し、ティシューペーパーが破れて取り出し難かったものを「×」と評価するものとする。
当該引き出し試験の結果を表２に示す。
【表２】
2010006444.tif 000004
【００３４】
（取出口の左右方向略中央部における前後方向の長さ決定試験）
また、取出口の左右方向略中央部における前後方向の長さ（取出口の中央前後幅）を決定するため、ティシューペーパーを取り出す際のシートをつまむ指二本の幅を測定した。具体的には、任意に選択した男性・女性それぞれ５名について、各人の人差し指と親指でティシューペーパーをつまんだ指二本の幅、即ち、ティシューペーパーを取り出す際に、取出口の左右方向に対して略直交する方向となる指二本の幅を測定した。
当該測定結果を表３に示す。
【表３】
2010006444.tif 000005
【００３５】
また、取出口の左右方向略中央部における前後方向の長さの最大値を決定するために、引き出し試験を行った。
引き出し試験は、５０組（１００枚）のティシューペーパーを家庭用薄葉紙に収納して、一組目から５０組目までティシューペーパーを継続して引き出した際に、シートが連れて出てくる回数を測定した。
取出口は、略六角形状に形成され、その前後方向の長さは２０ｍｍ（実施例１）、３０ｍｍ（実施例３）、４０ｍｍ（比較例７）として試験した。また、取出口の左右方向の長さを家庭用薄葉紙収納箱の左右方向の長さに対する割合で６９％のものとした。
ここで、ティシューペーパーが連れて出てきたり、折り畳まれた紙束が出てしまうことなくポップアップできたものを「○」と評価し、ティシューペーパーが連れて出てきたり、折り畳まれた紙束が出てしまってポップアップできなかったものを「×」と評価するものとする。
当該試験の結果を表４に示す。
【表４】
2010006444.tif 000006
【００３６】
［評価］
（取出口の左右方向の寸法の影響）
表１に示すように、取出口の左右方向の長さが家庭用薄葉紙収納箱の左右方向の長さに対して４６％〜６２％の場合では（比較例１〜３）、取出口の大きさが小さすぎるため、ティシューペーパーに破れが生じてしまった。
これに対して、取出口の左右方向の長さを家庭用薄葉紙収納箱の左右方向の長さに対して６９％以上とすると（実施例１及び比較例４）、ティシューペーパーに破れが生じることがなかった。
ここで、取出口の左右方向の長さを長くすればする程、ティシューペーパーに破れが生じ難くすることがきると考えられるが、取出口の左右方向の長さを家庭用薄葉紙収納箱の左右方向の長さに対して７７％とすると（比較例４）、取出口の縁部とティシューペーパーとの接触面積が小さく当該縁部によるティシューペーパーの係止力が低下してしまい落ち込みが生じた。
従って、取出口を略六角形状に形成した場合、取出口の左右方向の長さを家庭用薄葉紙収納箱の左右方向の長さに対して６９％とすることが好ましいと考えられる。
【００３７】
（ティシューペーパーの組数（枚数）の影響）
表２に示すように、ティシューペーパーの組数が６０組（１２０枚）以上の場合（比較例５及び６）、家庭用薄葉紙収納箱に対してティシューペーパーの組数が多すぎるため、一枚目のティシューペーパーに破れが生じてしまった。また、ティシューペーパーの組数を７０組（１４０枚）とすると（比較例６）、一枚目以外のティシューペーパーにも破れが生じてしまった。
これに対して、ティシューペーパーの組数を５５組（１１０枚）以下とすると（実施例１及び２）、ティシューペーパーに破れが生じることがなかった。
従って、ティシューペーパーの組数は５５組以下、即ち、ティシューペーパーの枚数は１１０枚以下であることが好ましいと考えられる。
【００３８】
（指の太さの影響及び取出口の前後方向の寸法の影響）
表３に示すように、男性・女性合わせて１０名の親指および人差し指をあわせた太さを測定したところ、１８ｍｍが３名、２０ｍｍが４名、２３ｍｍが３名と、１８〜２３ｍｍであった。従って、家庭用薄葉紙の取り出し易さを考慮すると、家庭用薄葉紙をつまみ出す際の取出口の左右方向略中央部における前後方向の長さは、少なくとも２３ｍｍ以上が好ましいと考えられる。
また、表４に示すように、取出口の左右方向略中央部における前後方向の長さを４０ｍｍとすると（比較例７）、一組目から５０組目までティシューペーパーを継続して引き出した際に、次のティシューペーパーが５回連れて出てきた。従って、略矩形状に形成された家庭用薄葉紙の上下方向の両端部どうしを合わせるように左右方向に延在する第１折り目に沿って折曲するとともに、複数の家庭用薄葉紙が隣合うものどうしで係合しあって交互に折り重ねられた紙束が、一の家庭用薄葉紙を引き出す際に次の家庭用薄葉紙が連れて出てこないようにすることを考慮すると、４０ｍｍ以下としたほうが良いと考えられる。
【００３９】
以上のように、本実施形態の家庭用薄葉紙収納箱１００によれば、一般的な家庭用薄葉紙収納箱に比べて当該家庭用薄葉紙収納箱１００の底面積を小さくして、一般的なティシューペーパーボックスに収納されているティシューペーパー等の家庭用薄葉紙１を折り畳んで収納する場合であっても、家庭用薄葉紙収納箱１００の上面に形成された取出口３は、上面部２の左右方向の長さに対する当該取出口３の左右方向の長さの割合が６９％以上、７７％未満とされるとともに、当該取出口３の左右方向略中央部における前後方向の長さが２３ｍｍ以上、４０ｍｍ未満とされているので、略矩形状に形成された家庭用薄葉紙１の上下方向の両端部どうしを合わせるように左右方向に延在する折り目Ｌ１に沿って折曲するとともに、複数の家庭用薄葉紙１、…が隣合うものどうしで係合しあって交互に折り重ねられて紙束１０を構成し、紙束１０の左右方向の両端部どうしを合わせるように上下方向に延在する折り目Ｌ２に沿って折曲した場合、即ち、継続して引き出せるように複数の家庭用薄葉紙１、…を折り重ねた場合であっても、取出口３を介して引き出される家庭用薄葉紙１に破れを生じさせることなく、一の家庭用薄葉紙１が引き出されると、次の家庭用薄葉紙１を取出口３まで引き出すことができる。特に、家庭用薄葉紙１を折り畳んで収納した場合のように、家庭用薄葉紙１を引き出した後、使用の際に開く手間を生じさせてしまうといった問題や、一般的な家庭用薄葉紙に比べて小さい寸法の家庭用薄葉紙１を収納することで使い勝手が悪くなってしまうといった問題を生じさせることがない。
また、紙束１０を構成する複数の家庭用薄葉紙１、…のうち、最も手前側の家庭用薄葉紙１の下向きに延在する紙片部１ａは、左右方向に延在する折り目Ｌ３に沿って手前側に折り返されて、当該家庭用薄葉紙１を山折りにした際の折り目Ｌ１よりも上側に配置されているので、当該紙片部１ａを掴むことにより家庭用薄葉紙収納箱１００に収納されている一枚目の家庭用薄葉紙１の引き出しを容易に行うことができる。
従って、家庭用薄葉紙収納箱１００の底面積を小さくしても家庭用薄葉紙サイズを小さくすることなくポップアップを確保し、家庭用薄葉紙１を使用する際に開く手間のない使い勝手の良い家庭用薄葉紙収納箱１００を提供することができる。
【００４０】
なお、本発明は、上記実施形態に限定されることなく、本発明の趣旨を逸脱しない範囲において、種々の改良並びに設計の変更を行っても良い。
以下に、家庭用薄葉紙収納箱の変形例１について、図５を参照して説明する。
【００４１】
＜変形例１＞
図５は、変形例１の家庭用薄葉紙収納箱２００を示す斜視図である。
図５に示すように、変形例１の家庭用薄葉紙収納箱２００の上面部２には、略菱形状の取出口２０３が形成されている。
なお、変形例１の家庭用薄葉紙収納箱２００は、取出口２０３の形状以外の点で上記実施形態の家庭用薄葉紙収納箱１００と略同様の構成をなし、その説明は省略する。また、図５にあっては、家庭用薄葉紙の図示を省略している。
【００４２】
取出口２０３は、上面部２の略中央部に当該取出口２０３の長手方向が左右方向と略平行となるように設けられている。具体的には、取出口２０３は、対向する辺どうしが略平行で、且つ、左右方向に長尺な略菱形状に形成されている。
また、取出口２０３の左右方向の長さは、家庭用薄葉紙収納箱２００の上面部２の左右方向の長さに対して７７％以上、９２％以下となっている。
下限が７７％未満では、取出口２０３を介して家庭用薄葉紙１を引き出した際に破れが生じてしまうためである。なお、上限は、９２％を超えても、即ち、例えば、１００％においてもポップアップ可能であるが、１００％とした場合、家庭用薄葉紙収納箱２００の上面部２に前後方向のつぶれが生じる可能性があるため、支え部分としてある程度余裕を持たせて９２％が良いと考えられる。
【００４３】
以下、変形例１の家庭用薄葉紙収納箱に係る実施例及び比較例について説明する。なお、以下の実施例及び比較例にあっては、家庭用薄葉紙としてティシューペーパーを用いた。
【００４４】
［実施例４〜６並びに比較例８〜１１］
（ティシューペーパー）
ティシューペーパーの寸法等は、上記実施例１等と略同様となっており、その説明は省略する。
【００４５】
（家庭用薄葉紙収納箱）
家庭用薄葉紙収納箱の取出口以外の寸法等は、上記実施例１と略同様となっており、その説明は省略する。
【００４６】
（取出口）
取出口は、略菱形状に形成され、その左右方向の長さを、家庭用薄葉紙収納箱の左右方向の長さに対する割合（％）で表す。
実施例４；７７％、実施例５；９２％、実施例６；１００％、比較例８；４６％、比較例９；５４％、比較例１０；６２％、比較例１１；６９％
また、取出口の左右方向略中央部における前後方向の長さは、２３ｍｍである。
【００４７】
（引き出し試験）
引き出し試験の内容及び評価方法は、上記実施例１と略同様となっており、その説明は省略する。
当該引き出し試験の結果を表５に示す。
【表５】
2010006444.tif 000007
【００４８】
［評価］
取出口の左右方向の長さが家庭用薄葉紙収納箱の左右方向の長さに対して４６％〜６９％の場合では（比較例８〜１１）、取出口の大きさが小さく、また、左右方向両端部が鋭角となっているため、ティシューペーパーに破れが生じてしまうためである。
これに対して、取出口の左右方向の長さを家庭用薄葉紙収納箱の左右方向の長さに対して７７％以上とすると（実施例４〜６）、ティシューペーパーが取出口の左右方向両端部に接触し難くなってティシューペーパーに破れが生じることがなく、また、ティシューペーパーの家庭用薄葉紙収納箱の内側への落ち込みも生じなかった。
従って、取出口を略菱形状に形成した場合、取出口の左右方向の長さを家庭用薄葉紙収納箱の左右方向の長さに対して７７％以上とすることが好ましいと考えられる。
【００４９】
従って、変形例１の家庭用薄葉紙収納箱２００によれば、略菱形状に形成され、家庭用薄葉紙収納箱２００の上面部２の左右方向の長さに対する当該取出口２０３の左右方向の長さの割合が７７％以上、９２％以下である取出口２０３を具備する家庭用薄葉紙収納箱２００であっても、上記実施形態と同様の効果を得ることができ、家庭用薄葉紙収納箱２００の底面積を小さくしても家庭用薄葉紙サイズを小さくすることなくポップアップを確保し、家庭用薄葉紙１を使用する際に開く手間のない使い勝手の良い家庭用薄葉紙収納箱２００を提供することができる。
【００５０】
なお、上記実施形態では、取出口３（２０３）を略六角形状に形成し、変形例１では略菱形状に形成したが、取出口３（２０３）の形状はこれに限られるものではなく、例えば、略六角形状や略菱形状の取出口３（２０３）の各辺を曲線状に形成しても良い。
即ち、取出口３、２０３の左右方向の長さや左右方向略中央部における前後方向の長さ以外については、適宜任意に変更することができる。
【００５１】
また、上記実施形態では、紙束１０を構成する複数の家庭用薄葉紙１、…のうち、最も手前側の家庭用薄葉紙１の下向きに延在する紙片部１ａを手前側に折り返すようにしたが、紙片部１ａを折り返すか否か、即ち、折り返し部を備えるか否かは適宜任意に変更することができる。
【００５２】
さらに、上記実施形態では、家庭用薄葉紙１を二枚一組として折り畳んで収納するようにしたが、これに限られるものではなく、一枚ずつ折り畳んで収納しても良い。
【図面の簡単な説明】
【００５３】
【図１】本発明を適用した一実施形態として例示する家庭用薄葉紙収納箱を示す斜視図である。
【図２】図１の家庭用薄葉紙収納箱の家庭用薄葉紙の収納状態を模式的に示す平面図である。
【図３】図１の家庭用薄葉紙収納箱に収納されている家庭用薄葉紙を示す図である。
【図４】図３の家庭用薄葉紙を示す斜視図である。
【図５】変形例１の家庭用薄葉紙収納箱を示す斜視図である。
【符号の説明】
【００５４】
１００、２００  家庭用薄葉紙収納箱
１      家庭用薄葉紙
１ａ    紙片部（折り返し部）
１０    紙束
２      上面部
３、２０３  取出口
Ｌ１    折り目（第１折り目）
Ｌ２    折り目（第２折り目）
Ｌ３    折り目（第３折り目）
【図１】
2010006444.tif 000008
【図２】
2010006444.tif 000009
【図３】
2010006444.tif 000010
【図４】
2010006444.tif 000011
【図５】
2010006444.tif 000012